(57)【要約】【課題】悪戯的操作を防止でき、かつ開閉体を基体枠に容易に取り付けることができる。  【解決手段】外枠１１に設けたベース部２２に軸部材２３を突設するとともに、本体枠１２には、開口３４を経て軸部材２３を受け入れる受入れ部を備えた軸受け部材３を設け、軸受け部材３には軸抜け防止部材４が設けられる。軸抜け防止部材４は軸抜け防止状態と軸抜け許容状態に操作可能で、軸抜け防止状態では、受入れ部に位置する軸部材２３を当該受け入れ部からの脱出を規制しつつ保持する。開口３４は本体枠１２の前面に開放しており、本体枠１２の閉鎖時に開口３４は、軸抜け防止状態の軸抜け防止部材４によって閉鎖される。【選択図】        図１
2010166989.tif 000002
【特許請求の範囲】
【請求項１】
基体枠に対して開閉体を開閉可能に軸支する遊技機のヒンジ機構において、前記基体枠に設けたベース部には当該基体枠の枠形成範囲内に軸部材を突設するとともに、前記開閉体には、開口を経て前記軸部材を受け入れる受入れ部を備えた軸受け部材を設け、前記軸受け部材には軸抜け防止部材が設けられて、当該軸抜け防止部材は軸抜け防止状態と軸抜け許容状態に操作可能で、軸抜け防止状態では、前記受入れ部に位置する前記軸部材を当該受入れ部からの脱出を規制しつつ保持し、前記開口は前記開閉体の前面に開放しており、前記開閉体の閉鎖時に前記開口が、軸抜け防止状態の前記軸抜け防止部材によって閉鎖されることを特徴とする遊技機のヒンジ機構。
【請求項２】
前記ベース部を前記基体枠の上端部に設けて、当該ベース部から前記軸部材を下方へ向けて突設し、前記軸受け部材を前記開閉体の上端部に設けて、当該軸受け部材に、前記開口から前記受入れ部へと前記軸部材を案内する案内部を設けるとともに、前記開口から前記案内部を経て前記受入れ部へと到る経路を屈曲状に形成し、かつ前記軸抜け防止部材を軸抜け防止状態に位置させる付勢部材を設けた請求項１に記載の遊技機のヒンジ構造。
【請求項３】
前記軸抜け防止部材は回動操作によって軸抜け防止状態と軸抜け許容状態におかれるものであり、軸抜け防止状態で前記受入れ部に位置する前記軸部材に当接する前記軸抜け防止部材の側面を、当該軸抜け防止部材の回動中心を中心とする円弧面に形成した請求項１又は２に記載の遊技機のヒンジ機構。
【発明の詳細な説明】
【技術分野】
【０００１】
本発明は遊技機のヒンジ機構に関し、特に、パチンコ遊技機の外枠に本体枠を開閉可能に軸支する等の用途に好適に使用できる遊技機のヒンジ機構に関する。  
【背景技術】
【０００２】
パチンコ遊技機において遊技盤を備える本体枠は、日常的なメンテナンスのためにヒンジ機構によって開閉可能に外枠に軸支されているとともに、上記ヒンジ機構は本体枠の本格的な修理等のために、本体枠を外枠から取り外すことができる構造となっている。その一例が特許文献１に開示されており、ここでは、本体枠の一方の側縁下端を外枠の側枠下端に設けた軸部材に開閉回動可能に支持させる一方、外枠の側枠上端にはロック部材（軸抜け防止部材）を設けている。このロック部材に、本体枠の側縁上端に上方へ向けて突設した軸部材を回転可能に係合させてロック状態（軸抜け防止状態）とすることにより、本体枠を外枠に開閉回動可能に支持させている。本体枠を外枠から外す場合はロック部材をロック解除状態（軸抜け許容状態）にして、軸部材とロック部材の係合を解消する。
【先行技術文献】
【特許文献】
【０００３】
【特許文献１】特開２００４−２１５８４５
【発明の概要】
【発明が解決しようとする課題】
【０００４】
しかし、上記従来のヒンジ機構は、スライド式の上記軸抜け防止部材が上方へ露出しているために悪戯的な操作をされ易く、また軸部材を後方から軸抜け防止部材内に係合させているため開閉体としての本体枠を基体枠としての外枠に取り付ける際や取り外す際に手間取るという問題があった。
【０００５】
そこで、本発明はこのような課題を解決するもので、悪戯的操作を防止でき、かつ開閉体を基体枠に容易に取り付けることができる遊技機のヒンジ機構を提供することを目的とする。
【課題を解決するための手段】
【０００６】
上記目的を達成するために、本第１発明では、基体枠（１１）に対して開閉体（１２）を開閉可能に軸支する遊技機のヒンジ機構において、基体枠（１１）に設けたベース部（２２）には当該基体枠（１１）の枠形成範囲内に軸部材（２３）を突設するとともに、開閉体（１２）には、開口（３４）を経て軸部材（２３）を受け入れる受入れ部（３７２）を備えた軸受け部材（３）を設け、軸受け部材（３）には軸抜け防止部材（４）が設けられて、当該軸抜け防止部材（４）は軸抜け防止状態と軸抜け許容状態に操作可能で、軸抜け防止状態では、受入れ部（３７２）に位置する軸部材（２３）を当該受入れ部（３７２）からの脱出を規制しつつ保持し、開口（３４）は開閉体（１２）の前面に開放しており、開閉体（１２）の閉鎖時に開口（３４）が、軸抜け防止状態の軸抜け防止部材（４）によって閉鎖されることを特徴とする。
【０００７】
本第１発明においては、開口が開閉体の前面に開放しているから、開閉体を基体枠へ取り付ける場合には、開口の位置を軸部材に一致させて、開閉体を軸部材の方向（開閉体における前後方向の前側）に向けて移動させる。これにより、軸部材は開口を経て受入れ部まで相対進入する。そして、軸抜け防止部材が軸抜け防止状態になると、開閉体は開閉回動可能に基体枠に取り付けられる。開閉体を基体枠から取り外す場合には、開閉体を開放させた後、軸抜け防止部材を軸抜け許容状態にして、開閉体を軸部材から離れる方向（開閉体における前後方向の後ろ側）に向けて移動させる。これにより、軸部材が相対的に受入れ部から開口を経て外方へ脱出させられ、開閉体が基体枠から取り外される。このような構成によれば、軸部材に対して前方から軸受け部材を係合させているから、従来のような軸部材を後方から軸受け部材内に係合させるのに比して、基体枠への開閉体の取り付けや取り外しの手間が軽減される。また、開閉体の閉鎖時に、上記開口が、軸抜け防止状態の軸抜け防止部材によって閉鎖されるから、ヒンジ機構への悪戯的操作（ヒンジの係合状態を解除させる行為）が未然に防止される。また、軸抜け防止部材は、軸部材の軸受け部材からの脱出を規制しており、通常時に軸部材を介して発生する開閉体の荷重（負荷）は軸受け部材の受入れ部により受け支えているので、軸抜け防止部材に対して過度な負荷がかかることなく安定したヒンジ機構を形成することができる。
【０００８】
本第２発明では、上記ベース部（２２）を基体枠（１１）の上端部に設けて、当該ベース部（２２）から軸部材（２３）を下方へ向けて突設し、軸受け部材（３）を開閉体（１２）の上端部に設けて、当該軸受け部材（３）に、開口（３４）から受入れ部（３７２）へと軸部材（２３）を案内する案内部（３７１）を設けるとともに、開口（３４）から案内部（３７１）を経て受入れ部（３７２）へと到る経路を屈曲状に形成し、かつ軸抜け防止部材（４）を軸抜け防止状態に位置させる付勢部材（４１）を設ける。
【０００９】
本第２発明においては、開口から案内部を経て受入れ部へと到る経路を屈曲状に形成するとともに、軸抜け防止部材を軸抜け防止状態に位置させる付勢部材を設けているから、受入れ部に進入した軸部材の脱出が簡易的な構造で確実に規制される。また、開口から案内部を経て受入れ部へと到る経路を屈曲状に形成しているので、開閉体の開放時において、開閉体の荷重によって発生する開閉体の移動（変位）を、軸部材と軸受け部材との係合により適切に受け支えることができ、軸部材が軸受け部材の開口方向へ移動してしまうことを防止することができるので、開閉体の開放時において開閉体が不要に基体枠から外れてしまうことを適切に防止することができ、安定したヒンジ機構を形成することができる。
【００１０】
本第３発明では、上記軸抜け防止部材（４）は回動操作によって軸抜け防止状態と軸抜け許容状態におかれるものであり、軸抜け防止状態で受入れ部（３７２）に位置する軸部材（２３）に当接する軸抜け防止部材（４）の側面を、当該軸抜け防止部材（４）の回動中心（Ｏ）を中心とする円弧面に形成する。
【００１１】
本第３発明において、受入れ部からの軸部材の脱出は、当該軸部材に当接する軸抜け防止部材の側面によって阻止されているが、この側面は、軸抜け防止部材の回動中心を中心とする円弧面に形成されているから、軸部材からの荷重が印加しても軸抜け防止部材に軸抜け許容方向への作用力が働くことは無く、軸部材の脱出が確実に防止される。
【００１２】
なお、上記カッコ内の符号は、後述する実施形態に記載の具体的手段との対応関係を示すものである。
【発明の効果】
【００１３】
以上のように、本発明の遊技機のヒンジ機構によれば、悪戯的操作を防止できるとともに、開閉体を基体枠に容易に取り付けることができる。
【図面の簡単な説明】
【００１４】
【図１】本発明のヒンジ機構を備えたパチンコ遊技機の正面図である。
【図２】本発明の一実施形態におけるヒンジ機構を設けたパチンコ遊技機の側縁上端部の平面図である。
【図３】軸受け部材の全体斜視図である。
【図４】軸受け部材の全体平面図である。
【図５】軸抜け防止部材の全体平面図である。
【図６】軸抜け防止部材を内設した軸受け部材の平面図である。
【図７】軸抜け防止部材を内設した軸受け部材の正面図である。
【図８】本体枠の取り外し工程を示す、ヒンジ機構を設けたパチンコ遊技機の側縁上端部の平面図である。
【図９】本体枠の取り外し工程を示す、ヒンジ機構を設けたパチンコ遊技機の側縁上端部の平面図である。
【発明を実施するための形態】
【００１５】
図１にはパチンコ遊技機の正面図を示し、基体枠としての矩形の外枠１１に開閉体としての本体枠１２が取着されている。本体枠１２には下半の上下位置に球皿を備えた前板１３が設けられるとともに、上半には遊技盤１５とこれを覆うガラス枠１４が装着されている。本体枠１２は正面左側の側縁下端が、外枠１１の側枠下端に設けた軸部材（図示略）に公知の構造で開閉回動可能に支持されるとともに、本体枠１２の側縁上端は以下に詳述する本発明のヒンジ機構Ｈによって着脱可能かつ開閉回動可能に外枠１１の側枠上端に結合されている。
【００１６】
図２にはヒンジ機構Ｈを設けた上記遊技機の側縁上端部の平面図を示す。図２は本体枠１２を、外枠１１に近接する閉鎖状態としたもので、外枠１１の上端に位置する上枠１１１の一端には金属板で形成されたベース板２が設けてある。ベース板２は略矩形の取付部２１が上枠１１１の一端下面にネジ固定され、取付部２１からはベース部２２が、やや狭幅となり上方（図２の手前側）へ段付きに屈曲した後、前方（図２の下方）へ延びている。ベース部２２の板面には外枠１１の枠形成範囲内に位置するように円形状の軸部材２３が下方へ向けて突設されている。軸部材２３の下端部はやや大径となっている（図７参照）。本実施形態では、ベース板２を外枠１１の下面（内側）に設けているから、上面（外側）に設ける場合のように外枠１１の一部を削ってベース板２の外面と外枠１１の一般部外面を面一にする加工を必要としない。
【００１７】
一方、上記ベース部２２に対向する本体枠１２の上枠１２１の一端上面には軸受け部材３が設けられている。軸受け部材３の斜視図を図３に、その平面図を図４に示す。軸受け部材３は全体が金属板を略Ｌ字状に屈曲させたもので、その垂直壁３１が本体枠１２の背面にネジ固定され、水平壁３２が上記ベース部２２の下方に位置している。水平壁３２の前半外周上には一定高さの壁部３３が形成されるとともに、壁部３３は前側の略中央が切り欠かれて開口３４が形成されている。
【００１８】
水平壁３２には壁部３３に近い位置に、ピン体３５が立設され、水平壁３２の内周部にはバネ係止片３６が切り起しにより形成されている。また、水平壁３２の板面には上記開口３４に通じる切欠き３７（図４）が屈曲形成されて、この切欠き３７は、開口３４に隣接する案内部３７１と案内部３７１に通じる受入れ部３７２で構成されている。これにより、開口３４から案内部３７１を経て受入れ部３７２へと到る経路は屈曲状に形成されている。
【００１９】
案内部３７１は両側面が開口３４に向けて延びるとともに、突起部３７３によってその幅が軸部材２３の軸部の外径よりもやや大きい程度まで狭まり、その後ほぼ同幅で突起部３７３の背後に位置する受入れ部３７２へ前側から左側へ向けて略Ｌ字状に屈曲している。受入れ部３７２は突起部３７３の背後にあって軸部材２３の軸部外周に倣った半円形の端面３７２ａを備えている。なお、開口３４は前側に向けて幅広形状として軸部材２３を入れ易くしてある。また、上記突起部３７３における背面側（軸部材２３と対面する側）には若干の直線部が形成されている。ここで、図４中の符号３８はガラス枠１４の回動軸を差し込む差込孔である。
【００２０】
軸受け部材３の水平壁３２上には軸抜け防止部材４が設置される。軸抜け防止部材４の平面図を図５に示す。軸抜け防止部材４は本実施形態ではバネ係数の大きいエンジニアリングプラスチックであるポリオキシメチレン（ＰＯＭ）樹脂の一体成形品である。軸抜け防止部材４は全体が略Ｌ字形の板状に形成され、その一端からは付勢部材としての細幅の板バネ部４１が弧状に湾曲延出している。このように板バネ部４１を軸抜け防止部材４に一体に形成したことにより、部品点数が削減される。
【００２１】
軸抜け防止部材４の左端面にはストッパ面４２が、後端面にはストッパ面４３が形成されている。また、軸抜け防止部材４の右端面にはストッパ部４４が突出形成されている。さらに、軸抜け防止部材４の左端部には円形の取付孔４５が貫通形成され、中間位置は切り欠かれて係止凹所４６が形成されている。係止凹所４６は軸部材２３の軸部外周よりやや幅広で（より詳しくは受入れ部３７２よりもやや幅広で）、軸部外周に倣った半円形の端面４６ａを備えるとともに、端面４６ａから延びる側面４６ｂは取付孔４５の中心Ｏを中心とした円弧面に形成されている。
【００２２】
軸抜け防止部材４はその取付孔４５がピン体３５（図４）に嵌装されてこれの周りに旋回可能に軸受け部材３内に設置される。軸抜け防止部材４がピン体３５に嵌装された後、ピン体３５の先端を潰す（幅広に加工する）ことで、軸抜け防止部材４が軸受け部材３から外れないように構成されている。これを図６に示す。軸抜け防止部材４は板バネ部４１の先端をバネ係止片３６に係止させて軸受け部材３内に設置されている。これによって軸抜け防止部材４はピン体３５回りに軸抜け防止方向の時計方向へ回動付勢されており、図示の軸抜け防止状態ではストッパ部４４が軸受け部材３の壁部３３に当接して軸抜け防止部材４が位置決めされている。
【００２３】
外枠１１のベース板２のベース部２２に設けられた軸部材２３は軸受け部材３の受入れ部３７２（図４）に位置しており、軸部材２３の軸部の略半周が受入れ部３７２の半円形の端面３７２ａと、突起部３７３の直線部に対面するとともに、残る略半周は軸抜け防止部材４（図５）の係止凹所４６の半円形端面４６ａと、円弧状をなす側面４６ｂに対面している。このようにして、軸部材２３は相対回転が可能に受入れ部３７２内に位置決めされ、この結果、外枠１１に対して本体枠１２を自由に開閉回動させることができる。
【００２４】
本体枠１２が外枠１１に対して閉鎖されている状態では、図７に示すように、本実施形態では正面を向いている軸受け部材３の開口３４には、軸抜け防止部材４の外周面４７が位置して、上記開口３４が閉鎖されている。このように開口３４が軸抜け防止状態の軸抜け防止部材４によって閉鎖されているので、ヒンジ機構Ｈへの悪戯的操作（ヒンジの係合状態を解除させる行為）が未然に防止される。また、外周面４７を操作して軸抜け防止部材４を軸抜け許容方向へ回動させようとしても、ストッパ面４３がベース板２の、取付部２１とベース部２２の境界の段付面に当接することにより回動は確実に規制され、軸抜け防止状態が解除されることはない。さらに、軸受け部材３上に設けた軸抜け防止部材４は、壁部３３とベース部２２に覆われて外方から遮蔽されるから、悪戯的な操作がさらに確実に防止される。なお、軸受け部材の差込孔３８（図４）に差し込まれたガラス枠１４の回動軸も壁部３３によって外方から遮蔽されるから、差し込まれた状態が確実に維持され、悪戯的に操作されることが防止される。さらに、軸抜け防止部材４に別途ガラス枠１４の回動軸を上方から覆うカバー部（図６内破線表示）を設ければ、壁部３３と共に更なる防犯機能を持たせることができる。
【００２５】
本体枠１２の裏面側のメンテナンス等を目的として、本体枠１２を外枠１１に対して開放した場合、軸部材２３の受入れ部３７２からの脱出は軸抜け防止部材４の側面４６ｂにおいても規制されている。この側面４６ｂは、取付孔４５の中心（すなわち軸抜け防止部材４の回動中心）Ｏを中心とする円弧面に形成されているから、軸部材２３からの荷重が印加しても軸抜け防止部材４に軸抜け許容方向（ピン体３５回りに反時計方向）への作用力が働くことは無く、受入れ部３７２からの軸部材２３の脱出が確実に規制される。さらに、開口３４から案内部３７１を経て受入れ部３７２へと到る経路を前側から左側へと折れ曲がるように屈曲状に形成しているから、本体枠１２の開放時において本体枠１２の荷重によって発生する本体枠１２の前方への移動（変位）を、受入れ部３７２の端面３７２ａと軸部材２３との係合により適切に受け支えることができ、受入れ部３７２からの軸部材２３の脱出が規制される。また、軸受け部材３の突起部３７３の背面側に形成された直線部により、本体枠１２を開放した際に、仮に本体枠１２に対して後ろ方向への負荷がかかったとしても円形状の軸部材２３と上記直線部とが当接することで本体枠１２の移動が規制され、本体枠１２の開放時に本体枠１２が不要に外れてしまうことが防止される。
【００２６】
外枠１１から本体枠１２を取り外す場合には、本体枠１２を略９０度前方へ開放回動させる（図８）。この状態で、正面方向へ露出した軸抜け防止部材４の右端部を図の矢印で示す方向へ押すと、図９に示すように、板バネ部４１を撓ませつつ軸抜け防止部材４が、ピン体３５回りに反時計方向、すなわち軸抜け許容方向へ回動させられて軸部材２３の位置決め状態が解消される。なお、軸抜け許容方向への軸抜け防止部材４の過度な回動は、ストッパ面４２（図６）が壁部３３に当接することによって規制される。この状態で、両手で両側を持った本体枠１２を実線矢印で示すように本体枠１２の前後方向の後ろ側（図９の右方）へ引くと、軸部材２３が相対的に受入れ部３７２（図４）から案内部３７１および開口３４を経て外方へ脱出させられ、本体枠１２の側枠上端が外枠１１から分離される。この後、本体枠１２をやや持ち上げてその側枠下端を本体枠１２の側縁下端の軸部材から分離する。
【００２７】
外枠１１に本体枠１２を装着する場合には、本体枠１２の側枠下端を外枠１１の軸部材に支持させ、この後、本体枠１２の前面に開放する開口３４から軸部材２３を進入させるべく開口３４の位置を軸部材２３に一致させて、両手で両側を持った本体枠１２を図９の破線矢印で示すように本体枠１２の前後方向の前側に押しやる。これにより、軸部材２３は開口３４内へ相対進入し、開口３４を閉鎖する軸抜け防止部材４の外周面を押しやって、板バネ部４１を撓ませつつ当該軸抜け防止部材４を一旦軸抜け許容方向へ回動させる。軸部材２３を受入れ部３７２（図４）まで相対進入させると、板バネ部４１の原形復帰による付勢力で軸抜け防止部材４は再び軸抜け防止状態へ戻されて（図６の状態）、軸部材２３が相対回転可能に位置決めされる。このように本体枠１２を外枠１１から取り外す場合、または装着する場合には、外枠１１に対して本体枠１２を略９０度の位置に配置して本体枠１２を前後方向に移動させることにより脱着することができるので、外枠１１への本体枠１２の脱着の手間が軽減される。また、本体枠１２を外枠１１に対して後方から前方に移動させて脱着させていないので、ヒンジ機構を移動させるためのスペースを確保することを目的として、外枠１１の上端に位置する上枠１１１の下面の一部を切削加工することを必要とせず、外枠１１の製造を容易にすることができる。
【００２８】
なお、本発明の適用範囲はパチンコ遊技機に限られるものではなく、アレンジボール遊技機やスロットマシン等のその他の遊技機に用いても良い。また、本発明は外枠と本体枠の結合に限られるものではなく、本体枠とガラス枠、または本体枠と球皿パネルのヒンジ機構等、遊技機における様々なヒンジ機構に適用しても良い。さらに、軸部材の突設方向は下方向に限られるものではなく、基体枠（上記実施形態では外枠）の枠形成範囲内であれば上方向でも横方向でも良い。また、本発明のヒンジ機構は、上端部の結合に限られるものではなく、下端部の結合に用いても良い。また、付勢部材（上記実施形態では板バネ部）を用いず、別途、位置保持機構を用いて軸抜け防止部材の軸抜け防止状態と軸抜け許容状態を切換え保持するようにしても良い。軸抜け防止部材の移動操作は回動操作に限られるものではなく、スライド操作等、様々な移動操作を用いることができる。
【符号の説明】
【００２９】
１１…外枠（基体枠）、１２…本体枠（開閉体）、２２…ベース部、２３…軸部材、３…軸受け部材、３３…壁部、３４…開口、３７２…受入れ部、４…軸抜け防止部材、Ｏ…回動中心。
【図１】
2010166989.tif 000003
【図２】
2010166989.tif 000004
【図３】
2010166989.tif 000005
【図４】
2010166989.tif 000006
【図５】
2010166989.tif 000007
【図６】
2010166989.tif 000008
【図７】
2010166989.tif 000009
【図８】
2010166989.tif 000010
【図９】
2010166989.tif 000011